(57)【要約】      （修正有）【課題】係止ピンを自動的に倒すことができる操作性に優れたドアガードを提供する。【解決手段】ドアガードは、アーム係止具に係止ピン２２を非係止位置に回動させようとする付勢力発生手段２４と、係止ピン２２を係止位置に保持するための保持手段２７と、保持手段による保持を解除する保持解除手段２６とを備える。保持解除手段２６を操作して係止位置に保持されている係止ピン２２の保持状態を解除すると、付勢力発生手段２４により、係止ピン２２が非係止位置に自動的に回動する。【選択図】図５
2017014887.tif 000002
【特許請求の範囲】
【請求項１】
扉又は扉枠のいずれか一方に回動可能に連結されたアームと、扉枠又は扉のいずれか他方に取り付けられたアーム係止具とが当接するドアガードにおいて、
該アーム係止具は、基台部と、
該基台部に係止位置と非係止位置との間を回動可能に支持される係止ピンと、
該係止ピンを常に係止位置又は非係止位置に回動させようとする付勢力発生手段と、
該付勢力発生手段に抗して該係止ピンを係止位置又は非係止位置に保持する保持手段と、
該保持手段による保持を解除する保持解除手段とを備え、
該保持解除手段により保持状態が解除されると、該係止ピンが該付勢力発生手段により係止位置又は非係止位置に自動的に回動することを特徴とするドアガード。
【請求項２】
該保持解除手段を該係止ピンに備えることを特徴とする請求項１に記載のドアガード。
【請求項３】
該保持解除手段を該基台部に備えることを特徴とする請求項１に記載のドアガード。
【請求項４】
該基台部と該係止ピンとの間に滑り受け部材を備えることを特徴とする請求項１又は請求項３のいずれかに記載のドアガード。
【発明の詳細な説明】
【技術分野】
【０００１】
本発明は、開扉を所定角度に制限して無用の人の不法侵入を阻止することができるドアガードに関するものである。
【背景技術】
【０００２】
この種のドアガードは、略水平方向に回動するようにその基端部が扉内面に取り付けられるアームと、該アームを係止すべく扉枠に取り付けられるアーム係止具とを備えている。アームは全体として略Ｕ字状に形成されることによりその上下方向略中央には長手方向に沿ってスリットが延設され、その折曲側が先端側になり開口側が基端側となるように扉内面に軸支される。また、アーム係止具は頭部が膨大した係止ピンを有しており、該頭部が挿入できるように、アームの上下両腕部はその基端部において部分的に上下に更に離間して、アームの基端部にスリットと連通しスリットよりも幅広の導入口が形成されている。
【０００３】
そして、扉内面に沿った通常位置からアームを扉枠側に向けて所定角度起立させて係止位置とすると、扉枠から扉側に向けて、すなわち、扉が設置される扉枠の開口部内方に向けて略水平に突出した状態にあるアーム係止具の係止ピンが、アームの導入口に挿入される。即ち、アームの上下両腕部間に係止ピンが位置して、アームと係止ピンとは上下に重合した状態となる。
【０００４】
かかる係止位置にアームをセットした後に開扉すると、係止ピンは導入口からスリットへと進入してスリット内をアーム先端側へと相対移動する。係止ピンがスリット内に進入すると、その頭部がアームの上下両腕部を係止してその通常位置への復帰を阻止する。そして、扉が所定角度まで開くと、係止ピンの軸部がアームの先端の上下両腕部を連結するストッパ部に当接し、それにより、その角度以上の開扉が阻止される。
【０００５】
ところで、このようなドアガードにおいて、衣服等の引っ掛かりを防ぐためにアーム係止具の係止ピンを係止位置、非係止位置へ回動可能とする構成が知られている。（特許文献１参照）
【０００６】
この構成によれば、係止ピンを非係止位置へ倒していれば扉を通行する際に衣服等の引っ掛かりを防ぐことができる。しかし、係止ピンを係止位置から非係止位置へ倒すには、まず手動で係止ピンの保持状態を解除し、その後係止ピンを手動で非係止位置へ回動させるといった操作が必要であり、作業が煩雑であるという問題がある。
【先行技術文献】
【特許文献】
【０００７】
【特許文献１】特許第４１９７３８２号公報
【発明の概要】
【発明が解決しようとする課題】
【０００８】
それゆえに本発明は上記従来の問題点に鑑みてなされ、係止ピンの保持状態が解除されると、係止ピンが自動的に回動する操作性に優れたドアガードを提供することを課題とする。
【課題を解決するための手段】
【０００９】
上記課題を解決するため、本発明に係わるドアガードは、扉（２）又は扉枠（１）のいずれか一方に回動可能に連結されたアーム（４）と、扉枠（１）又は扉（２）のいずれか他方に取り付けられたアーム係止具（２０、３０、４０）とが当接するドアガードにおいて、該アーム係止具（２０、３０、４０）は、基台部（２１、３１、４１）と、該基台部（２１、３１、４１）に係止位置と非係止位置との間を回動可能に支持される係止ピン（２２、３２）と、該係止ピン（２２、３２）を常に係止位置又は非係止位置に回動させようとする付勢力発生手段（２４、３４）と、該付勢力発生手段（２４、３４）に抗して該係止ピン（２２、３２）を係止位置又は非係止位置に保持する保持手段（２７、３６、４６）と、該保持手段（２７、３６、４６）による保持を解除する保持解除手段（２６、３７、４７）とを備え、該保持解除手段（２６、３７、４７）により保持状態が解除されると、該係止ピン（２２、３２）が該付勢力発生手段（２４、３４）により係止位置又は非係止位置に自動的に回動することを特徴とする。
【００１０】
ここで、該保持解除手段（２６）を該係止ピン（２２）に備えることが好ましい。
【００１１】
ここで、該保持解除手段（３７、４７）を該基台部（３１、４１）に備えることが好ましい。
【００１２】
ここで、該基台部（４１）と該係止ピン（３２）との間に滑り受け部材（４６ａ）を備えることが好ましい。
【発明の効果】
【００１３】
以上のように本発明に係わるドアガードにあっては、係止ピンの保持状態が解除されると、係止ピンが自動的に回動するので、ドアガードの操作性を向上させることができる。
【図面の簡単な説明】
【００１４】
【図１】本発明の第１実施形態のドアガードの概略正面図を示す。
【図２】本発明の第１実施形態のドアガードの概略平面図を示す。
【図３】本発明の第１実施形態のドアガードにおいて、扉の開閉が阻止され、かつ扉が所定の角度で保持された状態におけるドアガードの概略平面図を示す。
【図４】本発明の第１実施形態のドアガードにおけるアーム係止具において、（ａ）はアーム係止具の概略側面図を示し、（ｂ）は図４（ａ）の断面Ａ−Ａにおける概略断面図を示す。
【図５】図４の断面Ｂ−Ｂにおける概略断面図であり、（ａ）は係止ピンが係止位置にある場合を示し、（ｂ）は係止ピンが非係止位置にある場合を示す。
【図６】本発明の第２実施形態のドアガードにおけるアーム係止具において、（ａ）はアーム係止具の概略側面図を示し、（ｂ）は図６（ａ）の断面Ｃ−Ｃにおける概略断面図において係止ピンが保持されている状態を示し、（ｃ）は図６（ａ）の断面Ｃ−Ｃにおける概略断面図において係止ピンの保持が解除されている状態を示す。
【図７】図６の断面Ｄ−Ｄにおける概略断面図であり、（ａ）は係止ピンが係止位置にある場合を示し、（ｂ）は係止ピンが非係止位置にある場合を示す。
【図８】本発明の第３実施形態のドアガードにおけるアーム係止具において、（ａ）はアーム係止具の概略側面図を示し、（ｂ）は図８（ａ）の断面Ｅ−Ｅにおける概略断面図において係止ピンが保持されている状態を示し、（ｃ）は図８（ａ）の断面Ｅ−Ｅにおける概略断面図において係止ピンの保持が解除されている状態を示す。
【図９】図８の断面Ｆ−Ｆにおける概略断面図であり、（ａ）は係止ピンが係止位置にある場合を示し、（ｂ）は係止ピンが非係止位置にある場合を示す。
【発明を実施するための形態】
【００１５】
以下、まず本発明の第１実施形態にかかるドアガードを図１〜図５に基づき説明する。
【００１６】
図1、図２に示すように、このドアガードは、外開き用の扉２に二本の軸５、５を介し起倒可能すなわち略水平方向に回動可能に連結されたアーム４と、扉枠１に取り付けられたアーム係止具２０とを備える。軸５、５はそれぞれ図示しない抜け止め手段を備えており、アーム４をベース６に回動可能に取り付けている。
【００１７】
アーム４は金属材料により形成された略Ｕ字状部材であり、図１に示すように、平行に延びる二本のレール４ａ、４ｂと二本のレール４ａ、４ｂの一端を閉じる連結部４ｃを具備する。アーム４は、二本のレール４ａ、４ｂが上下になって平行に延びるように扉２の内表面２ａ上に配置される。
【００１８】
図１、図２に示すように、ベース６は３つのネジ９により扉２の内表面２ａ上に固定され、このベース６の上下の腕片６ａ、６ｂにアーム４の二本のレール４ａ、４ｂの他端が二本の軸５、５で回動可能に支持されることにより、アーム４がベース６に対して回動可能となり、扉２の内表面２ａ上において起倒可能となっている。
【００１９】
アーム４には、閉扉状態からのアーム４の略水平方向への回動によりアーム係止具２０の頭部２２ａが挿入される貫通孔７と、開扉時にアーム係止具２０の頭部２２ａをストップ位置までスライドさせる貫通孔７に連なる案内溝８とが設けられる。貫通孔７はアーム４のアーム係止具２０側に形成される。具体的にはアーム４における二本のレール４ａ、４ｂ間であって、ベース６側に寄った箇所に形成される。
【００２０】
案内溝８は、アーム４の二本のレール４ａ、４ｂ間に貫通孔７から連結部４ｃに向かって延びるように形成され、貫通孔７よりも小さい幅で形成される。
【００２１】
アーム係止具２０は、ネジ１０、１０により扉枠１上に固定される基台部２１と、この基台部２１に取り付けられる係止ピン２２と、係止ピン２２の先端に膨出形成された頭部２２ａとを有している。図１、図２に示すように、アーム係止具２０の係止ピン２２は係止位置にあるとき、扉枠１から扉２の内表面２ａに沿うように突出している。その他のアーム係止具２０の詳細な構成については後述する。頭部２２ａは貫通孔７の開口よりも小さく、閉扉状態からアーム４を扉２の内表面２ａ上でアーム係止具２０側に所定角度回動させると、頭部２２ａはアーム４の貫通孔７内に挿入される。
【００２２】
図２、図３に示すように、アーム４の二本のレール４ａ、４ｂは、アーム先端に向かって上り勾配のついた底壁４ｄ、４ｅを備え、連結部４ｃによって互いの先端を閉じるように構成されている。アーム係止具２０の頭部２２ａは案内溝８の幅より大きくなっており、アーム係止具２０の係止ピン２２が案内溝８内に入った後は、アーム４の扉２上での倒動作は不能になる。
【００２３】
図３に示すように、案内溝８をスライドしたアーム係止具２０の頭部２２ａが連結部４ｃに当接すると扉２のそれ以上の開扉が阻止されるようになっている。
【００２４】
また図１〜図３に示すように、アーム４の二本のレール４ａ、４ｂの底壁４ｄ、４ｅの連結部４ｃ付近には凹部４ｆ、４ｇが設けられており、凹部４ｆ、４ｇには係止ピン２２の頭部２２ａが嵌まり込んで係合するように構成されている。図３に示すように、扉２が開扉され、アーム４の凹部４ｆ、４ｇの位置にアーム係止具２０の頭部２２ａが位置したとき、アーム４をアーム係止具２０から離れるように回動させることでアーム係止具２０の頭部２２ａをアーム４の凹部４ｆ、４ｇに係合させることができる。
【００２５】
このとき、アーム係止具２０の頭部２２ａがアーム４の凹部４ｆ、４ｇの壁面に囲まれて保持されるので、扉２を所定角度に開扉したまま保持することができる。また、係合を解除するにはアーム４をアーム係止具２０に近づくように回動させ、アーム係止具２０の頭部２２ａを、アーム４の凹部４ｆ、４ｇから外せばよい。
【００２６】
次に、アーム係止具２０の詳細な構成について説明する。図１〜図５に示すように、アーム係止具２０の基台部２１には、軸２３を介して係止ピン２２が回動可能に支持されている。軸２３は図示しない抜け止め手段を備えており、係止ピン２２を基台部２１に回動可能に取り付けている。
【００２７】
図５に示すように、基台部２１は、軸２３に対して平行な壁面２１ａと壁面２１ｂを備え、係止ピン２２の外形をそれぞれ当接させることで、係止ピン２２の回動角度を係止位置（図５ａ）と非係止位置（図５ｂ）との間である略９０度の範囲で規制している。
【００２８】
図５に示すように、軸２３には、軸２３の外周面に沿うように付勢力発生手段としてねじりコイルバネ２４が取り付けられている。ねじりコイルバネ２４の軸線の一端２４ａは基台部２１のバネ受壁２１ｃへ当接し、ねじりコイルバネ２４の軸線の他端２４ｂは係止ピン２２のバネ受壁２２ｅへ当接している。これにより、本実施形態のねじりコイルバネ２４においては、その付勢力が常に係止ピン２２を非係止位置（図５ｂ）に回動するように働く状態になっている。
【００２９】
図４、図５に示すように、係止ピン２２は、その長手方向に貫通孔２２ｂを備え、貫通孔２２ｂの頭部２２ａ側には貫通孔２２ｂよりも径の大きいバネ座穴２２ｃを備えている。さらに係止ピン２２は、軸２３側に軸２３と略平行の貫通長孔２２ｄを備えている。
【００３０】
バネ座穴２２ｃには圧縮コイルバネ２５が挿入され、貫通孔２２ｂには圧縮コイルバネ２５を介して、保持解除手段として略円柱状の操作部材２６が挿入される。操作部材２６は、バネ座穴２２ｃ側にバネ座穴２２ｃとほぼ同径に膨出する頭部２６ａを備え、軸２３側に軸２３と略平行の貫通孔２６ｂを備えている。圧縮コイルバネ２５は、バネ座穴２２ｃの座面２２ｃ１と、頭部２６ａの座面２６ａ１に挟まれて常に圧縮された状態で保持される。そのため操作部材２６は、常に係止ピン２２の頭部２２ａの方向へ付勢された状態となる。
【００３１】
係止ピン２２の貫通長孔２２ｄと、操作部材２６の貫通孔２６ｂは互いに連通するように配置されており、互いに連通した状態で保持手段として軸２７が挿入される。軸２７は、係止ピン２２の外形よりも突出する突出部２７ａ、２７ｂを残した状態で、図示しない抜け止め手段によって操作部材２６の貫通孔２６ｂに一体に固定される。つまり操作部材２６は、軸２７を介して、係止ピン２２内に摺動可能に保持された状態となる。このとき、係止ピン２２の貫通長孔２２ｄと軸２７も摺動可能であり、貫通長孔２２ｄの長手方向の範囲内であれば操作部材２６は係止ピン２２の長手方向に摺動可能である。
【００３２】
軸２７が貫通長孔２２ｄの頭部２２ａ側に位置する場合、操作部材２６の頭部２６ａは係止ピン２２の頭部２２ａから突出した状態（図５ａ）になる。逆に軸２７が貫通長孔２２ｄの軸２３側に位置する場合、操作部材２６の頭部２６ａは係止ピン２２の頭部２２ａから突出しない状態（図５ｂ）になる。
【００３３】
図４、図５に示すように基台部２１は、係止ピン２２を挟み込むように上下の腕片２１ｄ、２１ｅを備えている。腕片２１ｄ、２１ｅの係止ピン２２に対向する面には、それぞれ軸２３を中心として略円弧状の長溝部２１ｆ、２１ｇが備えられており、長溝部２１ｆ、２１ｇの一端には、扉２の内表面２ａに沿うように水平方向に延出する延出溝部２１ｈ、２１ｉが備えられている。長溝部２１ｆ、２１ｇには、係止ピン２２に挿入された軸２７の突出部２７ａ、２７ｂが摺動可能に保持される。
【００３４】
図５ａに示すように、延出溝部２１ｈ、２１ｉ上に軸２７の突出部２７ａ、２７ｂが位置する場合には、軸２７が貫通長孔２２ｄの頭部２２ａ側に位置するため、操作部材２６の頭部２６ａは係止ピン２２の頭部２２ａから突出した状態になる。また、図５ｂに示すように、長溝部２１ｆ、２１ｇ上に軸２７の突出部２７ａ、２７ｂが位置する場合には、軸２７が貫通長孔２２ｄの軸２３側に位置するため、操作部材２６の頭部２６ａは係止ピン２２の頭部２２ａから突出しない状態になる。
【００３５】
次に、上記構成のアーム係止具２０の作用について説明する。
【００３６】
アーム係止具２０の係止ピン２２が、図５ａに示す位置にセットされているとき、係止ピン２２は係止位置に保持された保持状態となっている。
【００３７】
このとき、操作部材２６に一体に固定される軸２７の突出部２７ａ、２７ｂが、圧縮コイルバネ２５の付勢力により、長溝部２１ｆ、２１ｇの延出溝部２１ｈ、２１ｉに押し込まれる形で係合している。軸２７は操作部材２６と共に係止ピン２２内に保持されていることから、軸２７の突出部２７ａ、２７ｂが長溝部２１ｆ、２１ｇの延出溝部２１ｈ、２１ｉに係合している間は、係止ピン２２はねじりコイルバネ２４の付勢力に抗して係止位置で保持される。
【００３８】
この状態から、操作部材２６の頭部２６ａを圧縮コイルバネ２５の付勢力に抗して押し込む操作をすると、軸２７の突出部２７ａ、２７ｂが長溝部２１ｆ、２１ｇの延出溝部２１ｈ、２１ｉから外れて保持状態は解除される。保持状態が解除されると、軸２７の突出部２７ａ、２７ｂが長溝部２１ｆ、２１ｇ内を摺動可能になるため、図５ｂに示すように、係止ピン２２はねじりコイルバネ２４の付勢力により非係止位置へ自動的に回動する。
【００３９】
もう一度係止ピン２２を係止位置に保持された保持状態に戻すには、係止ピン２２をねじりコイルバネ２４の付勢力に抗して手動で図５ａに示す位置まで持ち上げればよい。すると軸２７の突出部２７ａ、２７ｂが、圧縮コイルバネ２５の付勢力により長溝部２１ｆ、２１ｇから外れて延出溝部２１ｈ、２１ｉへ押し込まれて係合するため、係止ピン２２は係止位置で保持される。
【００４０】
次に、本発明の第２実施形態にかかるドアガードを図６、図７に基づき説明する。尚、本発明の第２実施形態のアーム係止具３０は、第１実施形態のアーム係止具２０と同様に配置されるものとし、同一部材には同一符号を付してその説明は省略する。
【００４１】
図６、図７に示すように、アーム係止具３０の基台部３１には軸３３を介して係止ピン３２が回動可能に支持されている。軸３３は図示しない抜け止め手段を備えており、係止ピン３２を基台部３１に回動可能に取り付けている。
【００４２】
図７に示すように、基台部３１は、軸３３に対して平行な壁面３１ａと壁面３１ｂを備え、係止ピン３２の外形をそれぞれ当接させることで、係止ピン３２の回動角度を係止位置（図７ａ）と非係止位置（図７ｂ）との間である略９０度の範囲で規制している。
【００４３】
図７に示すように、軸３３には、軸３３の外周面に沿うように付勢力発生手段としてねじりコイルバネ３４が取り付けられている。ねじりコイルバネ３４の軸線の一端３４ａは基台部３１のバネ受壁３１ｃへ当接し、ねじりコイルバネ３４の軸線の他端３４ｂは係止ピン３２のバネ受壁３２ｂへ当接している。これにより、本実施形態のねじりコイルバネ３４においては、その付勢力が常に係止ピン３２を非係止位置（図７ｂ）に回動するように働く状態になっている。
【００４４】
図６、図７に示すように、係止ピン３２は、軸３３側に軸３３と略平行な座付穴３２ｃを備えている。座付穴３２ｃには、圧縮コイルバネ３５が挿入され、その上から保持手段として略円柱状の係止片３６が蓋をするように座付穴３２ｃの壁面に対して摺動可能に挿入されている。係止片３６は圧縮コイルバネ３５の付勢力により、常に図６の図面上方向に付勢されている。
【００４５】
図６に示すように、基台部３１は、係止ピン３２を挟み込むように上下の腕片３１ｄ、３１ｅを備えている。腕片３１ｄの係止ピン３２に対向する面には、係止ピン３２の座付穴３２ｃと同径の座付穴３１ｆが開口しており、係止ピン３２が係止位置にあるとき係止ピン３２の座付穴３２ｃと基台部３１の座付穴３１ｆが対向し、連通するように配置されている。また図６ｂに示すように、係止ピン３２の座付穴３２ｃと基台部３１の座付穴３１ｆが対向し連通しているとき、係止片３６は圧縮コイルバネ３５の付勢力により座付穴３１ｆに挿入される。
【００４６】
基台部３１の座付穴３１ｆの底面には、座付穴３１ｆよりも径の小さい貫通孔３１ｉが形成されている。貫通孔３１ｉと座付穴３１ｆには、保持解除手段として略円柱状の操作部材３７が摺動可能に挿入される。操作部材３７は、貫通孔３１ｉに挿入される頭部３７ａと、座付穴３１ｆに挿入され座付穴３１ｆとほぼ同径の基部３７ｂを備えている。
【００４７】
操作部材３７は、座付穴３１ｆの座面３１ｇと基部３７ｂの座面３７ｃが当接するため、座付穴３１ｆ側から貫通孔３１ｉ側へは抜けないようになっている（図６ｂ）。また操作部材３７は、図示しない保持手段によって貫通孔３１ｉ側から座付穴３１ｆ側へ抜け落ちないようになっている。さらに操作部材３７の頭部３７ａは貫通孔３１ｉよりも長く、基部３７ｂは座付穴３１ｆよりも短く形成されている。
【００４８】
図６ｂに示すように、操作部材３７の基部３７ｂの座面３７ｃが、座付穴３１ｆの座面３１ｇと当接する位置にあるときには、操作部材３７の頭部３７ａは基台部３１の腕片３１ｄから突出した状態になる。また、図６ｃに示すように、操作部材３７の底面３７ｄが、基台部３１の摺動面３１ｈと略面一の位置にあるときには、操作部材３７の頭部３７ａは基台部３１の腕片３１ｄから突出しない状態になる。
【００４９】
次に、上記構成のアーム係止具３０の作用について説明する。
【００５０】
アーム係止具３０の係止ピン３２が、図７ａに示す位置にセットされているとき、係止ピン３２は係止位置に保持された保持状態となっている。
【００５１】
このとき、図６ｂに示すように、係止ピン３２の座付穴３２ｃと基台部３１の座付穴３１ｆとが連通することで、係止ピン３２の係止片３６が圧縮コイルバネ３５の付勢力によって基台部３１の操作部材３７を押圧し、操作部材３７は基台部３１の座付穴３１ｆに押し込まれて係合している。係止片３６が基台部３１の座付穴３１ｆに挿入されている間は、係止ピン３２はねじりコイルバネ３４の付勢力に抗して係止位置で保持される。
【００５２】
この状態から、操作部材３７の頭部３７ａを圧縮コイルバネ３５の付勢力に抗して押し込む操作をすると、図６ｃに示すように、係止ピン３２の係止片３６が基台部３１の座付穴３１ｆから外れて保持状態は解除される。保持状態が解除されると、図７ｂに示すように、係止ピン３２はねじりコイルバネ３４の付勢力により非係止位置へ自動的に回動する。このとき、係止ピン３２の係止片３６は基台部３１の摺動面３１ｈに頭を抑えられ、係止片３６は圧縮コイルバネ３５の付勢力に抗して基台部３１の摺動面３１ｈを摺動しながら係止ピン３２と共に回動する。
【００５３】
もう一度係止ピン３２を係止位置に保持された保持状態に戻すには、係止ピン３２をねじりコイルバネ３４の付勢力に抗して手動で図７ａに示す位置まで持ち上げればよい。すると係止ピン３２の係止片３６が圧縮コイルバネ３５の付勢力によって基台部３１の操作部材３７を押し上げて、基台部３１の座付穴３１ｆに押し込まれて係合するため、係止ピン３２は係止位置で保持される。
【００５４】
次に、本発明の第３実施形態にかかるドアガードを図８、図９に基づき説明する。尚、本発明の第３実施形態のアーム係止具４０は、第２実施形態のアーム係止具３０と同様に配置されるものとし、同一部材には同一符号を付してその説明は省略する。
【００５５】
図８、図９に示すように、アーム係止具４０の基台部４１には軸３３を介して係止ピン３２が回動可能に支持されている。軸３３は図示しない抜け止め手段を備えており、係止ピン３２を基台部４１に回動可能に取り付けている。
【００５６】
図９に示すように、基台部４１は、軸３３に対して平行な壁面４１ａと壁面４１ｂを備え、係止ピン３２の外形をそれぞれ当接させることで、係止ピン３２の回動角度を係止位置（図９ａ）と非係止位置（図９ｂ）との間である略９０度の範囲で規制している。
【００５７】
図９に示すように、軸３３には、軸３３の外周面に沿うように付勢力発生手段としてねじりコイルバネ３４が取り付けられている。ねじりコイルバネ３４の軸線の一端３４ａは基台部４１のバネ受壁４１ｃへ当接し、ねじりコイルバネ３４の軸線の他端３４ｂは係止ピン３２のバネ受壁３２ｂへ当接している。これにより、本実施形態のねじりコイルバネ３４においては、その付勢力が常に係止ピン３２を非係止位置（図９ｂ）に回動するように働く状態になっている。また、基台部４１の壁面４１ｂにはゴム製の緩衝部材４２が壁面４１ｂからわずかに突出するように設けられており、係止ピン３２が非係止位置（図９ｂ）に回動した時の、係止ピン３２と壁面４１ｂとの当接音を低減できるようになっている。
【００５８】
図８、図９に示すように、係止ピン３２は、軸３３側に軸３３と略平行な座付穴３２ｃを備えている。座付穴３２ｃには、圧縮コイルバネ３５が挿入され、その上から保持手段として略円柱状の係止片４６が蓋をするように座付穴３２ｃの壁面に対して摺動可能に挿入されている。係止片４６は圧縮コイルバネ３５の付勢力により、常に図８の図面上方向に付勢されている。また、係止片４６には樹脂製の滑り受け部材４６ａが圧入されており、滑り受け部材４６ａは、係止片４６の圧縮コイルバネ３５が当接する側とは反対側の端面からわずかに突出するように設けられている。
【００５９】
図８に示すように、基台部４１は、係止ピン３２を挟み込むように上下の腕片４１ｄ、４１ｅを備えている。腕片４１ｄの係止ピン３２に対向する摺動面４１ｈには、係止ピン３２の座付穴３２ｃと同径の貫通孔４１ｆが開口しており、係止ピン３２が係止位置にあるとき係止ピン３２の座付穴３２ｃと基台部４１の貫通孔４１ｆが対向し、連通するように配置されている。また図８ｂに示すように、係止ピン３２の座付穴３２ｃと基台部４１の貫通孔４１ｆが対向し連通しているとき、係止片４６は圧縮コイルバネ３５の付勢力により貫通孔４１ｆに挿入される。
【００６０】
図８に示すように、基台部４１の貫通孔４１ｆには、保持解除手段として操作ボタン４７が摺動可能に挿入される。操作ボタン４７は、上面カバー４７ａと、上面カバー４７ａから延出する側面カバー４７ｂ，４７ｃと、上面カバー４７ａから延出し、基台部４１の貫通孔４１ｆに摺動可能に挿入される円柱部４７ｄとから構成される。
【００６１】
操作ボタン４７の円柱部４７ｄには、軸３３と直交するように貫通長孔４７ｅが設けられている。円柱部４７ｄが貫通孔４１ｆに挿入された状態で、貫通長孔４７ｅにはピン４１ｇが挿入される。ピン４１ｇは貫通長孔４７ｅを介して腕片４１ｄに圧入されるため、操作ボタン４７は貫通孔４１ｆに対して係脱不能となるが、貫通長孔４７ｅの範囲内では摺動可能となる。このとき、操作ボタン４７の摺動範囲は、少なくとも図８の図面下方向への摺動下限において、円柱部４７ｄの端面が摺動面４１ｈと面一になるようにする。
【００６２】
次に、上記構成のアーム係止具４０の作用について説明する。
【００６３】
アーム係止具４０の係止ピン３２が、図９ａに示す位置にセットされているとき、係止ピン３２は係止位置に保持された保持状態となっている。
【００６４】
このとき、図８ｂに示すように、係止ピン３２の座付穴３２ｃと基台部４１の貫通孔４１ｆとが連通することで、係止ピン３２の係止片４６が圧縮コイルバネ３５の付勢力によって操作ボタン４７の円柱部４７ｄを押圧し、操作ボタン４７は貫通長孔４７ｅの摺動範囲内で押し上げられる。係止片４６が基台部４１の貫通孔４１ｆに挿入されている間は、係止ピン３２はねじりコイルバネ３４の付勢力に抗して係止位置で保持される。
【００６５】
この状態から、操作ボタン４７を圧縮コイルバネ３５の付勢力に抗して押し込む操作をすると、図８ｃに示すように、係止ピン３２の係止片４６が基台部４１の貫通孔４１ｆから外れて保持状態は解除される。保持状態が解除されると、図９ｂに示すように、係止ピン３２はねじりコイルバネ３４の付勢力により非係止位置へ自動的に回動する。このとき、係止ピン３２の係止片４６は基台部４１の摺動面４１ｈに頭を抑えられ、係止片４６は圧縮コイルバネ３５の付勢力に抗して基台部４１の摺動面４１ｈを摺動しながら係止ピン３２と共に回動する。この時、基台部４１の壁面４１ｂには緩衝部材４２が設けられていることから、係止ピン３２と壁面４１ｂとの当接音が低減される。
【００６６】
もう一度係止ピン３２を係止位置に保持された保持状態に戻すには、係止ピン３２をねじりコイルバネ３４の付勢力に抗して手動で図９ａに示す位置まで持ち上げればよい。すると係止ピン３２の係止片４６が圧縮コイルバネ３５の付勢力によって基台部４１の操作ボタン４７を押し上げて、基台部４１の貫通孔４１ｆに押し込まれて係合するため、係止ピン３２は係止位置で保持される。
【００６７】
このように、係止ピン３２が係止位置と非係止位置に回動する度に係止片４６と摺動面４１ｈとが摺動するが、係止片４６には樹脂製の滑り受け部材４６ａが設けられていることから、実際には摺動面４１ｈと滑り受け部材４６ａとが摺動する。このため摺動による傷の発生を抑えることができ、さらに滑らかな操作性を実現できる。
【００６８】
以上、本発明の好適な実施形態について説明したが、本発明の技術的範囲は上記実施形態に記載の範囲には限定されない。上記実施形態には、多様な変更又は改良を加えることが可能である。その様な変更又は改良を加えた形態も本発明の技術的範囲に含まれ得ることが、特許請求の範囲の記載から明らかである。
【００６９】
例えば、本発明の実施形態において、アーム４は扉２へ取り付けられ、アーム係止具２０、３０、４０は扉枠１へ取り付けられる構成だったが、逆にアーム４を扉枠１へ取り付け、アーム係止具２０、３０、４０を扉２へ取り付ける構成とすることもできる。
【００７０】
また、本発明の実施形態において、係止ピン２２、３２は係止位置から非係止位置へ自動的に回動する構成だったが、作用を逆転させるように構成することで、非係止位置から係止位置へ自動的に回動する構成とすることもできる。
【００７１】
また、本発明の実施形態において、係止ピン２２、３２が保持手段２７、３６、４６によって係止位置へ保持されている状態で、係止ピン２２、３２を非係止位置へ回動させる外力がかかった場合、一定以上の外力がかかると保持解除手段２６、３７、４７が動作して保持手段２７、３６、４６による保持が解除される構成とすることもできる。そうすることでアーム係止具２０、３０、４０の破損を防ぐことができる。
【００７２】
また、本発明の第３実施形態において、滑り受け部材４６ａは樹脂製としたが、材質は樹脂に限定されない。また、ベアリングのように玉やコロ等の転動体を用いる構成とすることもできる。
【００７３】
また、本発明の第３実施形態において、滑り受け部材４６ａは保持手段４６に備える構成としたが、例えば係止ピン３２に備えられるなど、基台部４１と係止ピン３２との間に備えられていれば良い。
【符号の説明】
【００７４】
１        ：扉枠
２        ：扉
２ａ      ：内表面
４        ：アーム
４ａ      ：レール
４ｂ      ：レール
４ｃ      ：連結部
４ｄ      ：底壁
４ｅ      ：底壁
４ｆ      ：凹部
４ｇ      ：凹部
５        ：軸
６        ：ベース
６ａ      ：腕片
６ｂ      ：腕片
７        ：貫通孔
８        ：案内溝
９        ：ネジ
１０      ：ネジ
２０      ：アーム係止具
２１      ：基台部
２１ａ    ：壁面
２１ｂ    ：壁面
２１ｃ    ：バネ受壁
２１ｄ    ：腕片
２１ｅ    ：腕片
２１ｆ    ：長溝部
２１ｇ    ：長溝部
２１ｈ    ：延出溝部
２１ｉ    ：延出溝部
２２      ：係止ピン
２２ａ    ：頭部
２２ｂ    ：貫通孔
２２ｃ    ：バネ座穴
２２ｃ１  ：座面
２２ｄ    ：貫通長孔
２２ｅ    ：バネ受壁
２３      ：軸
２４      ：ねじりコイルバネ
２４ａ    ：一端
２４ｂ    ：他端
２５      ：圧縮コイルバネ
２６      ：操作部材（保持解除手段）
２６ａ    ：頭部
２６ａ１  ：座面
２６ｂ    ：貫通孔
２７      ：軸（保持手段）
２７ａ    ：突出部
２７ｂ    ：突出部
３０      ：アーム係止具
３１      ：基台部
３１ａ    ：壁面
３１ｂ    ：壁面
３１ｃ    ：バネ受壁
３１ｄ    ：腕片
３１ｅ    ：腕片
３１ｆ    ：座付穴
３１ｇ    ：座面
３１ｈ    ：摺動面
３１ｉ    ：貫通孔
３２      ：係止ピン
３２ｂ    ：バネ受壁
３２ｃ    ：座付穴
３３      ：軸
３４      ：ねじりコイルバネ
３４ａ    ：一端
３４ｂ    ：他端
３５      ：圧縮コイルバネ
３６      ：係止片（保持手段）
３７      ：操作部材（保持解除手段）
３７ａ    ：頭部
３７ｂ    ：基部
３７ｃ    ：座面
３７ｄ    ：底面
４０      ：アーム係止具
４１      ：基台部
４１ａ    ：壁面
４１ｂ    ：壁面
４１ｃ    ：バネ受壁
４１ｄ    ：腕片
４１ｅ    ：腕片
４１ｆ    ：貫通孔
４１ｇ    ：ピン
４１ｈ    ：摺動面
４２      ：緩衝部材
４６      ：係止片（保持手段）
４６ａ    ：滑り受け部材
４７      ：操作ボタン（保持解除手段）
４７ａ    ：上面カバー
４７ｂ    ：側面カバー
４７ｃ    ：側面カバー
４７ｄ    ：円柱部
４７ｅ    ：貫通長孔
【図１】
2017014887.tif 000003
【図２】
2017014887.tif 000004
【図３】
2017014887.tif 000005
【図４】
2017014887.tif 000006
【図５】
2017014887.tif 000007
【図６】
2017014887.tif 000008
【図７】
2017014887.tif 000009
【図８】
2017014887.tif 000010
【図９】
2017014887.tif 000011